(57)【要約】【課題】それぞれ属性情報が登録された複数の処理について、目視で比較する構成よりも少ない操作回数で複数の処理の属性情報を比較することが可能な情報処理装置及びプログラムを提供する。【解決手段】情報処理装置は、属性情報が登録された処理が対応付けられた複数の操作子と、複数の操作子のうち、２以上の操作子が操作されたとき、それぞれ対応する属性情報の比較結果を表示するよう制御する表示制御手段１０３と、を備える。【選択図】図１
2019022156.tif 000002
【特許請求の範囲】
【請求項１】
属性情報が登録された処理が対応付けられた複数の操作子と、
前記複数の操作子のうち、２以上の操作子が操作されたとき、それぞれ対応する前記属性情報の比較結果を表示するよう制御する表示制御手段と、
を備えた情報処理装置。
【請求項２】
前記表示制御手段は、操作された前記２以上の操作子に対応付けられた処理の種類が同一性を有しない場合、前記比較結果を表示しないように制御する、
請求項１に記載の情報処理装置。
【請求項３】
前記表示制御手段は、操作された前記２以上の操作子に登録された属性情報に含まれる視覚的な情報を比較した比較結果を表示するよう制御する、
請求項１又は２に記載の情報処理装置。
【請求項４】
前記視覚的な情報は、前記処理を実行するための設定項目を設定する設定手段の位置情報、該設定手段の色を示す色情報、該設定手段の形状情報、及び該設定手段の表示又は非表示の状態を示す可視情報のうち少なくとも１つを含む、
請求項３に記載の情報処理装置。
【請求項５】
前記表示制御手段は、選択された前記２以上の操作子に登録された属性情報に含まれる視覚的な情報以外の情報を比較した比較結果を表示するよう制御する、
請求項１から４のいずれか１項に記載の情報処理装置。
【請求項６】
前記視覚的な情報以外の情報は、前記処理を実行するための設定項目に対して予め定められた設定値を含み、
前記表示制御手段は、前記設定値を比較した比較結果を表示するよう制御する、
請求項５に記載の情報処理装置。
【請求項７】
前記２以上の操作子に対する操作は、該２以上の操作子を相対的に近づける操作を含む、
請求項１から６のいずれか１項に記載の情報処理装置。
【請求項８】
前記２以上の操作子に対する操作は、該２以上の操作子にともに接触する操作を含む、
請求項１から７のいずれか１項に記載の情報処理装置。
【請求項９】
操作された前記２以上の操作子に対応付けられた前記処理に登録された前記属性情報が同一性を有するとき、前記２以上の操作子のうちいずれかを削除する削除手段をさらに備える、
請求項１から８のいずれか１項に記載の情報処理装置。
【請求項１０】
前記表示制御手段は、前記２以上の操作子に対応する２以上の削除手段を表示するよう制御する、
請求項９に記載の情報処理装置。
【請求項１１】
コンピュータを、
属性情報が登録された処理が対応付けられた複数の操作子と、
前記複数の操作子のうち、２以上の操作子が操作されたとき、それぞれ対応する前記属性情報の比較結果を表示するよう制御する表示制御手段として、機能させるためのプログラム。
【発明の詳細な説明】
【技術分野】
【０００１】
本発明は、情報処理装置及びプログラムに関する。
【背景技術】
【０００２】
近年、ユーザごとに各設定項目の設定値を登録して処理を実行する情報処理装置が提案されている（例えば、特許文献１参照。）。
【０００３】
特許文献１に記載された画像処理装置は、各アプリケーションにおいて、各ユーザがマクロ機能として設定した各設定値を管理する管理手段と、各アプリケーションが実行されるとき、アプリケーションの各設定項目に設定された各設定値を取得する取得手段と、取得手段により取得された各設定値と、管理手段に管理された他のユーザのマクロ機能の各設定値とを比較する比較手段と、比較手段による比較の結果、各設定値が一致するマクロ機能があるとき、マクロ機能の情報を通知する通知画面を表示制御する表示制御手段と、を備える。
【先行技術文献】
【特許文献】
【０００４】
【特許文献１】特開２０１２−１６５３２５号公報
【発明の概要】
【発明が解決しようとする課題】
【０００５】
本発明の課題は、それぞれ属性情報が登録された複数の処理について、目視で比較する構成よりも少ない操作回数で複数の処理の属性情報を比較することが可能な情報処理装置及びプログラムを提供することにある。
【課題を解決するための手段】
【０００６】
［１］属性情報が登録された処理が対応付けられた複数の操作子と、前記複数の操作子のうち、２以上の操作子が操作されたとき、それぞれ対応する前記属性情報の比較結果を表示するよう制御する表示制御手段と、を備えた情報処理装置。
［２］前記表示制御手段は、操作された前記２以上の操作子に対応付けられた処理の種類が同一性を有しない場合、前記比較結果を表示しないように制御する、前記［１］に記載の情報処理装置。
［３］前記表示制御手段は、操作された前記２以上の操作子に登録された属性情報に含まれる視覚的な情報を比較した比較結果を表示するよう制御する、前記［１］又は［２］に記載の情報処理装置。
［４］前記視覚的な情報は、前記処理を実行するための設定項目を設定する設定手段の位置情報、該設定手段の色を示す色情報、該設定手段の形状情報、及び該設定手段の表示又は非表示の状態を示す可視情報のうち少なくとも１つを含む、前記［３］に記載の情報処理装置。
［５］前記表示制御手段は、選択された前記２以上の操作子に登録された属性情報に含まれる視覚的な情報以外の情報を比較した比較結果を表示するよう制御する、前記［１］から［４］のいずれか１つに記載の情報処理装置。
［６］前記視覚的な情報以外の情報は、前記処理を実行するための設定項目に対して予め定められた設定値を含み、前記表示制御手段は、前記設定値を比較した比較結果を表示するよう制御する、前記［５］に記載の情報処理装置。
［７］前記２以上の操作子に対する操作は、該２以上の操作子を相対的に近づける操作を含む、前記［１］から［６］のいずれか１つに記載の情報処理装置。
［８］前記２以上の操作子に対する操作は、該２以上の操作子にともに接触する操作を含む、前記［１］から［７］のいずれか１つに記載の情報処理装置。
［９］操作された前記２以上の操作子に対応付けられた前記処理に登録された前記属性情報が同一性を有するとき、前記２以上の操作子のうちいずれかを削除する削除手段をさらに備える、前記［１］から［８］のいずれか１つに記載の情報処理装置。
［１０］前記表示制御手段は、前記２以上の操作子に対応する２以上の削除手段を表示するよう制御する、前記［９］に記載の情報処理装置。
［１１］コンピュータを、属性情報が登録された処理が対応付けられた複数の操作子と、前記複数の操作子のうち、２以上の操作子が操作されたとき、それぞれ対応する前記属性情報の比較結果を表示するよう制御する表示制御手段として、機能させるためのプログラム。
【発明の効果】
【０００７】
請求項１、１１に係る発明によれば、それぞれ属性情報が登録された複数の処理について、目視で比較する構成よりも少ない操作回数で複数の処理の属性情報を比較することができる。
請求項２に係る発明によれば、属性情報を比較する際、同一性を有しない処理に対応付けられた操作子の属性情報の比較を除くことができる。
請求項３、４に係る発明によれば、視覚的な情報を用いて属性情報を比較することができる。
請求項５、６に係る発明によれば、視覚的な情報以外の情報を用いて属性情報を比較することができる。
請求項７、８に係る発明によれば、ユーザが属性情報を比較する操作子を視覚的に選択することができる。
請求項９に係る発明によれば、属性情報が同一性を有する処理が対応付けられた操作子を削除することができる。
請求項１０に係る発明によれば、属性情報が同一性を有する処理が対応付けられた操作子のうちいずれの操作子を削除するかをユーザに選択させることができる。
【図面の簡単な説明】
【０００８】
【図１】図１は、本発明の第１の実施の形態に係る画像形成装置の制御系の一例を示すブロック図である。
【図２】図２は、ホーム画面の一例を示す図である。
【図３】図３は、設定画面の一例を示す図である。
【図４】図４は、入力画面の一例を示す図である。
【図５】図５は、確認画面の一例を示す図である。
【図６】図６は、アイコンを重ねる操作の一例を示す図である。
【図７】図７は、処理ごとの設定項目及び設定値の一例を説明するための図である。
【図８】図８は、アイコンが削除されたホーム画面の一例を示す図である。
【図９】図９は、第１の実施の形態に係る画像形成装置における処理を生成する動作の一例を示すフローチャートである。
【図１０】図１０は、第１の実施の形態に係る画像形成装置における処理の属性情報を比較する動作の一例を示すフローチャートである。
【図１１】図１１は、変形例に係るアイコンを重ねる操作の一例を示す図である。
【図１２】図１２は、本発明の第２の実施の形態に係る画像形成装置の設定画面の一例を示す図である。
【図１３】図１３は、本発明の第２の実施の形態に係る画像形成装置における処理の属性情報を比較する動作の一例を示すフローチャートである。
【発明を実施するための形態】
【０００９】
以下、本発明の実施の形態について図面を参照して説明する。なお、各図中、実質的に同一の機能を有する構成要素については、同一の符号を付してその重複した説明を省略する。以下、情報処理装置として画像形成装置を例に説明するが、情報処理装置は画像形成装置に限られない。
【００１０】
［実施の形態の要約］
本実施の形態に係る画像形成装置は、属性情報が登録された処理が対応付けられた複数の操作子と、複数の操作子のうち、２以上の操作子が操作されたとき、それぞれに対応付けられた処理の属性情報の比較結果を表示するように制御する表示制御手段と、を備える。
【００１１】
「属性情報」とは、機能に応じて登録された属性を示す情報のことである。属性情報には、表示に関する視覚的な属性情報と、視覚的な属性情報以外の非視覚的な属性情報と、が含まれる。
【００１２】
視覚的な属性情報は、例えば、設定項目の設定値を設定する設定画面の画面構成に関する情報が該当する。設定画面の画面構成に関する情報には、例えば、設定値の設定を行う設定釦の位置情報、設定釦の大きさや形状に関する情報、設定釦の色情報、設定釦の可視状態を示す情報が含まれる。可視状態を示す情報とは、設定釦を表示させるか否かに関する情報をいう。
【００１３】
非視覚的な属性情報には、例えば、コピー、スキャン、プリント、ファクシミリ、電子メール等の処理の設定項目が該当する。
【００１４】
「操作子」は、属性情報が登録された処理に対応付けられた操作端子である。操作子は、例えば、機能を図形で表したアイコンでもよく、機能を図形で表したものに文字や記号を付加したものや、文字や記号のみで構成されたものでもよい。「対応付けられた」とは、例えば、操作子を操作することにより当該属性情報が登録された処理が実行されるようになっていることをいう。
【００１５】
表示制御手段は、操作された２以上の操作子に対応付けられた処理の種類が同一性を有しない場合、比較結果を表示しないように制御してもよい。処理の種類が同一性を有する場合とは、例えば、白黒コピーと白黒コピーや、白黒コピーとカラーコピーのように機能が同種の場合をいう。
【００１６】
［第１の実施の形態］
図１は、本発明の第１の実施の形態に係る画像形成装置の制御系の一例を示すブロック図である。この画像形成装置１は、例えば、スキャン機能、プリンタ機能、コピー機能、ファクシミリ機能、電子メール機能等の複数の機能を有する複合機である。
【００１７】
この画像形成装置１は、画像形成装置１の各部を制御する制御部１０と、各種のデータを記憶する記憶部１１と、情報の入力及び表示を行う操作表示部１２と、原稿から原稿画像を読み取る画像読取部１４と、画像を印刷出力する画像出力部１５と、外部ファクシミリ装置２に対して公衆回線網６を介してファクシミリ送受信を行うファクシミリ通信部１６と、外部装置３との間でネットワーク７を介して通信するネットワーク通信部１７とを備える。
【００１８】
図１では、外部ファクシミリ装置２及び外部装置３は、それぞれ１台を図示するが、２台以上でもよい。
【００１９】
操作表示部１２は、例えば、タッチパネルディスプレイであり、液晶ディスプレイ等のディスプレイにタッチパネルを重合配置した構成を有する。
【００２０】
画像読取部１４は、原稿から原稿画像を読み取るものであり、原稿台上に設けられた自動原稿送り装置と、スキャナとを備え、原稿台に配置された原稿、又は自動原稿送り装置により送られた原稿から原稿画像を光学的に読み取る。
【００２１】
画像出力部１５は、例えば、電子写真方式、インクジェット方式によりカラー画像又は白黒画像を用紙等の記録媒体に印刷出力する。
【００２２】
ファクシミリ通信部１６は、Ｇ３、Ｇ４等のファクシミリプロトコルに従ってデータの変復調を行い、公衆回線網６を介してファクシミリ通信を行う。
【００２３】
ネットワーク通信部１７は、ＮＩＣ（Network Interface Card）等によって実現され、ネットワーク７を介して外部装置３との間で信号を送受信する。外部装置３には、例えば、パーソナルコンピュータ、サーバ装置等が含まれる。  
【００２４】
制御部１０は、ＣＰＵ（Central Processing Unit）、インターフェース等から構成されている。ＣＰＵは、記憶部１１に記録されたプログラム１１０に従って動作することにより、実行手段１００、受付手段１０１、判定手段１０２、表示制御手段１０３、生成手段１０４等として機能する。各手段１００〜１０４の詳細については後述する。
【００２５】
記憶部１１は、ＲＯＭ（Read Only Memory）、ＲＡＭ（Random Access Memory）、ハードディスク等から構成され、プログラム１１０、アプリケーション１１１、画面情報１１２等の各種データを記憶する。
【００２６】
アプリケーション１１１は、コピー、スキャン、プリント、ファクシミリ、電子メール等の処理をそれぞれ実行する複数のアプリケーションからなる。
【００２７】
（画面情報）
画面情報１１２は、後述する表示制御手段１０３により操作表示部１２の表示面に表示される各種画面の情報である。画面情報１１２について、図２〜図５を参照して説明する。図２は、ホーム画面の一例を示す図である。図２に示すように、ホーム画面２０には、例えば、各処理に対応付けられた複数のアイコン２００が含まれる。アイコン２００は、操作子の一例である。
【００２８】
各アイコン２００に表示された「Ｃｏｐｙ」、「Ｅｍａｉｌ」、「ＦＴＰ保存」、「ＦＡＸ」、「２Ｕｐ」、「Ｃｏｐｙ−１」等の文字情報は、それぞれのアイコン２００に対応付けられた処理を示している。「Ｃｏｐｙ」、「２Ｕｐ」、「Ｃｏｐｙ−１」は、それぞれ、コピーの処理の一例、「Ｅｍａｉｌ」は、電子メールの処理の一例、「ＦＴＰ保存」は、読み取ったデータをファイル転送により保存する処理の一例、「ＦＡＸ」は、ファクシミリの処理の一例である。
【００２９】
図３は、設定画面の一例を示す図である。設定画面２１は、ユーザに設定項目の設定値を設定させる画面である。設定画面２１は、例えば、ホーム画面２０のアイコン２００の操作により表示される。図３に示すように、設定画面２１には、例えば、設定値の設定を行う設定釦２１０、設定値を保存する保存釦２１１、処理の実行を指示するスタート釦２１２等が含まれる。また、保存釦２１１の操作により、保存された設定値が登録された処理が生成されるとともに、生成された処理の実行を指示するアイコン２００が生成されるようになっている。上述した「２Ｕｐ」「Ｃｏｐｙ−１」と表示されたアイコン２００は、保存釦２１１の操作により生成されたアイコン２００の一例である。
【００３０】
図４は、入力画面の一例を示す図である。入力画面２２は、ユーザにアイコン２００の名称を登録させる画面である。入力画面２２は、例えば、設定画面２１の保存釦２１１の操作により表示される。図４に示すように、入力画面２２には、例えば、アイコン２００の名称を入力する入力欄２２０、入力欄２２０に文字情報等の入力を指示する入力釦２２１、アイコン２００の名称を決定する決定釦２２２が含まれる。入力釦２２１は、例えば、ソフトウェアキーボードである。
【００３１】
図５は、確認画面の一例を示す図である。確認画面２３は、ユーザに複数の処理の属性情報の比較結果を確認させる画面である。図５に示すように、確認画面２３には、例えば、比較した処理の属性情報が同一性を有する旨のメッセージ２３０、処理の削除及びこの処理が対応付けられたアイコン２００の削除を指示する削除釦２３１等が含まれる。削除釦２３１は、処理ごとに設けられていてもよい。削除釦２３１は、削除手段の一例である。
【００３２】
実行手段１００は、画像処理部１４、画像出力部１５、ファクシミリ通信部１６等を制御して各処理を実行する。
【００３３】
受付手段１０１は、操作表示部１２の表示面に対して行われるユーザの操作を受け付ける。受付手段１００が受け付けるユーザの操作には、各種釦の操作、アイコン２００の操作等が含まれる。
【００３４】
アイコン２００の操作には、アイコン２００をクリックする操作の他に、例えば、アイコン２００を移動する操作や、複数のアイコン２００を重ねる操作が含まれる。
【００３５】
図６は、アイコンを重ねる操作の一例を示す図である。図６は、一つのアイコン２００Ａをドラッグして移動させ、他のアイコン２００Ｂに重ねた操作を示す。
【００３６】
各種釦に対する操作には、例えば、属性情報を設定するための設定釦２１０の操作、属性情報を保存するための保存釦２１１の操作、
文字情報などの入力を行うための入力釦２２１の操作、入力された文字情報を決定するための決定釦２２２の操作、処理及び処理が対応付けられたアイコン２００を削除するための削除釦２３１の操作が含まれる。
【００３７】
判定手段１０２は、受付手段１００がアイコン２００を合成する操作を受け付けると、操作された複数のアイコン２００に対応付けられた処理の種類が互いに同一性を有するか否かを判定する。処理の種類が互いに同一性を有する場合とは、例えば、白黒コピーと白黒コピーや、白黒コピーとカラーコピーのように機能が同種の場合をいう。
【００３８】
また、判定手段１０２は、操作された複数のアイコン２００に対応付けられた処理の種類が互いに同一性を有する場合、当該複数のアイコン２００に対応付けられた処理の属性情報同士を比較した比較結果に基づいて、比較した属性情報が互いに同一性を有するか否かを判定する。なお、判定手段１０２は、操作された複数のアイコン２００に対応付けられた処理の種類が互いに同一性を有しない場合、受付手段１００がアイコン２００を合成する操作を受け付けたとしても処理の属性情報の比較は行わない。
【００３９】
具体的には、判定手段１０２は、処理の非視覚的な属性情報を比較した比較結果に基づいて、比較した属性情報が互いに同一性を有するか否かを判定する。非視覚的な属性情報は、視覚的な情報以外の情報の一例である。
【００４０】
より具体的には、判定手段１０２は、アイコン２００に対応付けられた処理の設定項目を抽出し、抽出した設定項目ごとに設定値を比較した比較結果に基づいて、属性情報が互いに同一性を有するか否かを判定する。
【００４１】
図７は、処理ごとの設定項目及び設定値の一例を説明するための図である。図７には、「処理」の欄と、「設定項目」の欄と、「設定値の一例」の欄とが設けられている。「処理」の欄には、コピー、電子メール、ファクシミリ、プリント等の処理が列挙されている。「設定項目」の欄には、具体的な設定項目が処理ごとに列挙されている。「設定値の一例」の欄には、設定値の具体的な例が列挙されている。
【００４２】
図７に示すように、コピーの設定項目には、例えば、枠消し、Ｎアップ、アノテーション等が含まれる。スキャンの設定項目には、例えば、カラーモード、送信先、件名、添付するファイル名称、解像度、拡張子等が含まれる。ファクシミリの設定項目には、例えば、送信先、件名等が含まれる。プリントの設定項目には、Ｎアップ、アノテーション等が含まれる。なお、図７に列挙した例は一例であり、これに限定されるものではない。
【００４３】
表示制御手段１０３は、受付手段１００が受け付けたユーザの操作に応じて、操作表示部１２に記憶部１１に記憶された画面情報１１２に対応する各種画面を表示するよう制御する。
【００４４】
表示制御手段１０３は、受付手段１００が受け付けた削除釦２３１の操作に基づいてホーム画面２０からアイコン２００を削除するよう制御する。図８は、アイコンが削除されたホーム画面の一例を示す図である。図８は、一例として、ユーザの操作に基づいて「Ｃｏｐｙ−１」と表示されたアイコン２００が削除された例を示す（破線参照）。
【００４５】
表示制御手段１０３は、後述する生成手段１０４により保存釦２１１の操作に基づいて処理が生成された場合、生成された処理の実行を指示するアイコン２００を生成してホーム画面２０に表示するよう制御する。
【００４６】
生成手段１０４は、保存釦２１１の操作に基づいて保存された設定値が登録された処理を生成する。
【００４７】
（第１の実施の形態の動作）
次に、第１の実施の形態に係る画像形成装置１の動作の一例について図９及び１０を参照して説明する。以下の動作説明では、特に記述がない限り、画像形成装置１の制御部１０が行うものとする。
【００４８】
（１）処理の生成
図９は、第１の実施の形態に係る画像形成装置における処理を生成する動作の一例を示すフローチャートである。
【００４９】
受付手段１０１が図２に示すホーム画面２０上で１つのアイコン２００をクリックする操作を受け付けると（Ｓ１）、表示制御手段１０３は、操作表示部１２に図３に示す設定画面２１を表示するよう制御する（Ｓ２）。
【００５０】
次に、受付手段１０１が設定釦２１０の操作を受け付けた後（Ｓ３）、さらに保存釦２１１の操作を受け付けると（Ｓ４）、生成手段１０４は、保存された設定値が登録された処理を生成する（Ｓ５）。表示制御手段１０３は、操作表示部１２に図４に示す入力画面２２を表示するよう制御する（Ｓ６）。
【００５１】
次に、受付手段１０１が入力釦２２１の操作を受け付けた後（Ｓ７）、さらに決定釦２２２の操作を受け付けると（Ｓ８）、表示制御手段１０３は、入力された文字情報を名称とするアイコン２００を操作表示部１２に表示するよう制御する（Ｓ９）。
【００５２】
（２）処理の属性情報の比較
図１０は、第１の実施の形態に係る画像形成装置における処理の属性情報を比較する動作の一例を示すフローチャートである。受付手段１０１が図２に示すホーム画面２０に表示されたアイコン２００を合成する操作を受け付ける（Ｓ２０）。
【００５３】
次に、判定手段１０２は、受付手段１００がアイコン２００を合成する操作を受け付けると、操作された複数のアイコン２００に対応付けられた処理の種類が互いに同一性を有する場合、アイコン２００に対応付けられた処理の設定項目を抽出し（Ｓ２１）、抽出した設定項目ごとに設定値を比較する（Ｓ２２）。
【００５４】
次に、比較した設定値が同一性を有する場合（Ｓ２３：Ｙｅｓ）、表示制御手段１０３は、操作表示部１２に図５に示す確認画面２３を表示するよう制御する（Ｓ２４）。
【００５５】
次に、受付手段１０１が削除釦２３１の操作を受け付けた場合（Ｓ２５：Ｙｅｓ）、削除釦２３１に対応付けられた処理が削除される。次に、表示制御手段１０３は、当該削除された処理が対応付けられたアイコン２００をホーム画面２０から削除するよう制御する（Ｓ２６）。
【００５６】
次に、表示制御手段１０３は、確認画面２３を閉じるよう制御する（Ｓ２７）。
【００５７】
以上のようにして、目視で比較する構成よりも少ない操作回数で複数の処理の属性情報を比較することが可能となる。
【００５８】
＜変形例＞
図１１は、変形例に係るアイコンを重ねる操作の一例を示す図である。第１の実施の形態では、判定手段１０２は、ホーム画面２０の複数のアイコン２００が重ねられたことを検知したときに、処理の属性情報の比較を行ったが、必ずしもこれに限られない。図１１に示すように、複数のアイコン２００Ａ，２００Ｂに移動を伴わずに接触する操作でもよい。
【００５９】
［第２の実施の形態］
図１２は、本発明の第２の実施の形態に係る画像形成装置の設定画面の一例を示す図である。第１の実施の形態では、判定手段１０２が非視覚的な属性情報を比較する機能を有しているのに対し、第２の実施の形態では、判定手段１０２は、視覚的な属性情報を比較する機能を有している。以下、第１の実施の形態と異なる点を中心に説明する。
【００６０】
判定手段１０２は、例えば、非視覚的な属性情報として、図３に示す設定画面２１の画面構成に関する情報を比較する。判定手段１０２によって比較対象となる画面構成に関する情報には、例えば、図３に示す設定画面２１の設定釦２１０の位置情報、設定釦２１０の大きさや形状に関する情報、設定釦２１０の色情報、設定釦２１０の可視状態を示す情報が含まれる。
【００６１】
判定手段１０２は、設定釦２１０の位置情報として、例えば、設定釦２１０の設定画面２１における座標を比較してもよい。判定手段１０２は、設定釦２１０の大きさや形状に関する情報として、例えば、設定釦２１０の形状、高さ及び幅等寸法、角部の丸み等を比較してもよい。判定手段１０２は、設定釦２１０の色情報として、例えば、設定釦２１０のＲＧＢ値やＣＭＹＫ値を比較してもよい。判定手段１０２は、設定釦２１０の可視状態を示す情報として、設定釦２１０が表示されているか否かを比較してもよい。
【００６２】
また、設定画面２１の画面構成に関する情報は、例えば、設定画面２１（図３参照）等で変更可能にしてもよい。例えば、設定画面２１設定釦２１０の配置や位置を変更できるようにしてもよい。また、設定釦の色、大きさ、形状、設定釦に表示されている文字情報の書体を変更できるようにしてもよい。また、設定釦２１０を非表示に設定できるようしてもよい。
【００６３】
図１２は、設定画面の一例を示す図である。図１２に示す設定画面２１では、図３で表示されていた２つの設定釦２１０（例えば、「枠消し」「アノテーション」（図３参照））が表示されないように設定されている。
【００６４】
（第２の実施の形態の動作）
図１３は、本発明の第２の実施の形態に係る画像形成装置における処理の属性情報を比較する動作の一例を示すフローチャートである。受付手段１０１が図２に示すホーム画面２０に表示されたアイコン２００を合成する操作を受け付ける（Ｓ３０）。
【００６５】
次に、判定手段１０２は、操作された複数のアイコン２００に対応付けられた処理の種類が互いに同一性を有する場合、アイコン２００に対応付けられた処理の視覚的な属性情報を抽出し（Ｓ３２）、抽出した視覚的な属性情報ごとに比較する（Ｓ３２）。
【００６６】
次に、視覚的な属性情報が同一性を有する場合（Ｓ３３：Ｙｅｓ）、表示制御手段１０３は、操作表示部１２に図５に示す確認画面２３を表示するよう制御する（Ｓ３４）。
【００６７】
以下、ステップＳ３５からＳ３８は、第１の実施の形態のステップＳ２５からＳ２８と同様に動作する。すなわち、受付手段１０１が削除釦２３１の操作を受け付けた場合（Ｓ３５：Ｙｅｓ）、当該削除釦２３１に対応付けられた処理が削除され、表示制御手段１０３がアイコン２００をホーム画面２０から削除するよう制御し（Ｓ３６）、確認画面２３を閉じるよう制御する（Ｓ３７）。
【００６８】
＜変形例＞
判定手段１０２は、非視覚的な属性情報を比較する機能及び視覚的な属性情報を比較する機能の両方を有してもよい。
【００６９】
以上、本発明の実施の形態を説明したが、本発明の実施の形態は上記実施の形態に限定されるものではなく、本発明の要旨を変更しない範囲内で種々の変形、実施が可能である。
【００７０】
制御部１０の各手段は、それぞれ一部又は全部を再構成可能回路（ＦＰＧＡ：Field Programmable Gate Array）、特定用途向け集積回路（ＡＳＩＣ：Application Specific Integrated Circuit）等のハードウエア回路によって構成してもよい。
【００７１】
また、本発明の要旨を変更しない範囲内で、上記実施の形態の構成要素の一部を省くことや変更することが可能である。また、本発明の要旨を変更しない範囲内で、上記実施の形態のフローにおいて、ステップの追加、削除、変更、入替え等が可能である。また、上記実施の形態で用いたプログラムをＣＤ−ＲＯＭ等のコンピュータ読み取り可能な記録媒体に記録して提供することができ、クラウドサーバ等の外部サーバに格納しておき、ネットワークを介して利用することもできる。
【符号の説明】
【００７２】
１…画像形成装置、２…外部ファクシミリ装置、３…外部装置、６…公衆回線網、７…ネットワーク、１０…制御部、１１…記憶部、１２…操作表示部、１４…画像読取部、１５…画像出力部、１６…ファクシミリ通信部、１７…ネットワーク通信部、２０…ホーム画面、２１…設定画面、２２…入力画面、２３…確認画面、１００…実行手段、１０１…受付手段、１０２…判定手段、１０３…表示制御手段、１０４…生成手段、１１０…プログラム、１１１…アプリケーション、１１２…画面情報、アイコン…２００，２００Ａ，２００Ｂ、２１０…設定釦、２１１…保存釦、２１２…スタート釦、２２０…、２２１…入力釦、２２２…決定釦、２３０…メッセージ、２３１…削除釦
【図１】
2019022156.tif 000003
【図２】
2019022156.tif 000004
【図３】
2019022156.tif 000005
【図４】
2019022156.tif 000006
【図５】
2019022156.tif 000007
【図６】
2019022156.tif 000008
【図７】
2019022156.tif 000009
【図８】
2019022156.tif 000010
【図９】
2019022156.tif 000011
【図１０】
2019022156.tif 000012
【図１１】
2019022156.tif 000013
【図１２】
2019022156.tif 000014
【図１３】
2019022156.tif 000015